(57)【要約】【課題】床下作業で使用される床上室内防汚装置を提供する。【解決手段】本発明は、建物の床下作業を実施する際に塵埃などで床上室内が汚染されることを防止する床上室内防汚装置１であり、作業員３が床下に出入するために床面５に開口された開口部４と、前記開口部４の上方を囲むように配置される開口部用防汚装置２と、前記開口部用防汚装置２は、前記開口部４の周囲を取り巻く開口部周囲床面６の上に配置される開口部用枠体１０と、前記開口部４の上方を囲むように前記開口部用枠体１０で囲まれた空間を包囲する包囲フィルム２０と、前記包囲フィルム２０の一面に開放された又は開放可能に設けられた出入口２６、４３ａからなり、前記出入口２６、４３ａを通って前記開口部４に出入りして床下作業することを特徴とする。また、前記開口部用防汚装置２は保護部材３５の上に配置されて床面５を保護することができる。【選択図】図１
2020084727.tif 000002
【特許請求の範囲】
【請求項１】
建物の床下作業を実施する際に塵埃などで床上室内が汚染されることを防止する床上室内防汚装置であり、作業員が床下に出入するために床面に開口された開口部と、前記開口部の上方を囲むように配置される開口部用防汚装置と、前記開口部用防汚装置は、前記開口部の周囲を取り巻く開口部周囲床面の上に配置される開口部用枠体と、前記開口部の上方を囲むように前記開口部用枠体で囲まれた空間を包囲する包囲フィルムと、前記包囲フィルムの一面に開放された又は開放可能に設けられた出入口からなり、前記出入口を通って前記開口部に出入りして床下作業することを特徴とする床下作業で使用される床上室内防汚装置。
【請求項２】
開口部周囲シートを前記開口部周囲床面に敷設し、前記開口部周囲シートの上又は近傍に床面保護用の１個以上の保護部材を配置し、前記保護部材の上に前記開口部用枠体を配置して前記開口部用防汚装置を前記保護部材の上に構成し、床面を保護することができる請求項１に記載の床下作業で使用される床上室内防汚装置。
【請求項３】
前記開口部用防汚装置に形成された前記出入口の付近から床面の上に室内防汚用歩行路体を設ける請求項１又は２に記載の床下作業で使用される床上室内防汚装置。
【請求項４】
前記開口部周囲シートから連続して内端片を前記開口部の内方に垂下させ、又は前記内端片を前記床面の裏側に折曲させて防汚機能を高める請求項２又は３に記載の床下作業で使用される床上室内防汚装置。
【請求項５】
前記開口部用防汚装置は直方体状に組み立てられた直方体状開口部用防汚装置であり、前記直方体状開口部用防汚装置は略直方体状の前記開口部用枠体と略直方体状の前記包囲フィルムから構成され、前記包囲フィルムは略直方体状の６面からなり、下端面が開口された下端開口を有し、正面には正面開口を有して前記出入口が形成されているか、又は正面フィルムを有し、前記正面フィルムには略Ｌ字状、略四角状又は略コ字状に開放用切線が形成され、該開放用切線を切って開放フィルム片を切り取るか、前方に垂らすか、又は上にまくり上げると前記出入口が開放形成され、前記包囲フィルムを前記下端開口から前記開口部用枠体に包被して前記直方体状開口部用防汚装置を構成する請求項１〜４のいずれかに記載の床下作業で使用される床上室内防汚装置。
【請求項６】
前記直方体状開口部用防汚装置において、前記開口部用枠体は、４隅に矩形枠孔を穿設した２個の矩形枠と、左右端に接続棒突起を突設した４本の接続棒とからなり、２個の前記矩形枠を離間した状態で左右に対向して配置し、前記矩形枠の間の４隅に４本の前記接続棒を横設し、各接続棒の左右の接続棒突起を左右の前記矩形枠の矩形枠孔に夫々挿着して直方体状に構成される請求項５に記載の床下作業で使用される床上室内防汚装置。
【請求項７】
前記直方体状開口部用防汚装置において、略直方体状の前記開口部用枠体は、４本の横管を矩形状に配置した上段矩形体と、４本の横管を矩形状に配置した下段矩形体と、前記上段矩形体と前記下段矩形体を離間して上下に対向配置し、前記上段矩形体と前記下段矩形体の４隅を上下に連結する４本の縦管を立設して略直方体を形成し、前記略直方体の８個の角部に三方に継手孔部を形成した三方継手を配置し、夫々の前記三方継手の三方の継手孔部に２本の横管の端部と１本の縦管の端部を挿着して強固な略直方体に構成される請求項５に記載の床下作業で使用される床上室内防汚装置。
【請求項８】
略直方体に構成された前記開口部用枠体において、前記上段矩形体を構成する４本の前記横管と、前記下段矩形体を構成する４本の前記横管と、立設された４本の前記縦管の夫々には伸縮紐が挿通され、それらの伸縮紐が８個の前記三方継手の中で相互に伸縮可能に連結されており、８個の前記三方継手から前記横管と前記縦管を抜脱させた状態では８本の前記横管と４本の前記縦管と８個の前記三方継手がそれらの伸縮紐により分離不能且つ伸縮可能な略自由状態になり、前記直方体状開口部用防汚装置を容易に組み立てることができる請求項７に記載の床下作業で使用される床上室内防汚装置。
【請求項９】
直方体状の前記開口部用枠体において、４本の前記縦管に夫々挿通される前記伸縮紐は上下端に伸縮輪を形成した伸縮縦紐であり、前記上段矩形体を構成する４本の前記横管に挿通される前記伸縮紐は、４本の前記伸縮縦紐の上方の４個の伸縮輪を挿通する一本の伸縮環状紐で形成され、前記下段矩形体を構成する４本の前記横管に挿通される前記伸縮紐は、４本の前記伸縮縦紐の下方の４個の伸縮輪を挿通する一本の伸縮環状紐で形成されている請求項８に記載の床下作業で使用される床上室内防汚装置。
【請求項１０】
前記開口部用防汚装置はループ状に組み立てられたループ状開口部用防汚装置であり、前記ループ状開口部用防汚装置はループ状の前記開口部用枠体とループ状の前記包囲フィルムから構成され、ループ状の前記開口部用枠体は、上方にループ部を有し作業員が歩行できる程度の高さを有した直立形状の直立ループ枠体を２個用意し、前記開口部を内包するように２個の前記直立ループ枠体を連結棒で相互に離間するように連結して対向配置し、前記包囲フィルムは背面と正面と周面と下端面の４面からなり、下端面は開口されて下端開口を有し、正面は開口可能に形成され作業員が出入りする出入口を形成可能であり、背面を密封する背面フィルムと、２個の前記ループ部を含む周面を密封する周面フィルムから少なくとも構成される請求項１〜４のいずれかに記載の床下作業で使用される床上室内防汚装置。
【請求項１１】
前記室内防汚用歩行路体は、前記開口部用防汚装置の出入口から連続して床面に載置された伸縮歩行路体からなり、前記伸縮歩行路体は、上方にループ部を有し作業員が歩行できる程度の高さを有した直立形状の直立ループ枠体が離間した状態で２個以上連接されており、前記直立ループ枠体には複数個の直立ループ枠体孔が穿設されており、全ての隣接する２個の直立ループ枠体の間は底面フィルムと周面フィルムにより密封されており、全ての直立ループ枠体は作業員が歩行できるように開放されて、入口側は入口開口及び出口側は出口開口となり、未使用時には全ての直立ループ枠体を圧縮状態に隣接させて容積縮小させ、使用時には必要な隣接する直立ループ枠体の間を連結棒により相互に離間状に連結して容積膨張させて歩行路体として使用する請求項３〜１０のいずれかに記載の床下作業で使用される床上室内防汚装置。
【請求項１２】
シート開口部を開口形成した１枚の掃出し窓用シートを用意し、前記掃出し窓用シートを建物の掃出し窓に合わせて張設し、前記掃出し窓用シートの周囲を前記掃出し窓の周囲に固定し、前記シート開口部を前記伸縮歩行路体の前記出口開口と略同形状に形成し、前記伸縮歩行路体の前記出口開口を前記シート開口部に接続して床上室内の防汚機能を高度化する請求項１１に記載の床下作業で使用される床上室内防汚装置。
【請求項１３】
前記室内防汚用歩行路体は、前記開口部用防汚装置の出入口から床面に敷設された床面シートである請求項３〜１０のいずれかに記載の床下作業で使用される床上室内防汚装置。
【請求項１４】
シート開口部を開口形成した１枚の掃出し窓用シートを用意し、前記掃出し窓用シートを建物の掃出し窓に合わせて張設し、前記掃出し窓用シートの周囲を前記掃出し窓の周囲に固定し、前記床面シートを前記シート開口部に接続して防汚機能を向上させる請求項１３に記載の床下作業で使用される床上室内防汚装置。
【請求項１５】
先端側に差込端部を有し後端側に受入端部を有した伸縮導管を用意し、前記伸縮導管は伸縮して長短調節可能であり、前記伸縮導管の中に長尺部材を挿通させ、
前記差込端部を前記開口部用防汚装置に接続し、前記長尺部材を床面の開口部から床下に導入して床下作業を支援する請求項１〜１４のいずれかに記載の床下作業で使用される床上室内防汚装置。
【請求項１６】
前記差込端部にロック用ボタンを有し前記受入端部にロック用孔を有した伸縮導管を２本以上用意し、一方の伸縮導管の差込端部を他方の伸縮導管の受入端部に内入させてロック用ボタンをロック用孔にロックさせて両者を分離不能に接続し、これを繰り返して任意長の前記長尺部材でも床面の開口部から床下に導入して床下作業を支援可能である請求項１５に記載の床下作業で使用される床上室内防汚装置。
【発明の詳細な説明】
【技術分野】
【０００１】
本発明は建物の床下作業で使用される床上室内防汚装置に関し、更に詳細には、本発明の床下作業とは床下調査や害虫駆除や清掃作業や配線作業や各種床下工事などの総称であり、この床下作業を行う際に作業員の出入りや塵埃などによって床上室内が汚れるのを防止する床上室内防汚装置に関する。
【背景技術】
【０００２】
従来技術である特開２００５−７５９６７号公報（特許文献１）には、「防蟻塗料及び防蟻作業方法」として、シロアリなどの害虫から住宅などの木造建物を守るために特殊な防蟻塗料を用いた防蟻作業方法が記載されている。その請求項５には、この特殊な防蟻塗料を建物の基礎から床下面にかけて噴射塗布することが記載されている。
【０００３】
また、従来技術である特開２００９−４０７１０号公報（特許文献２）には、「シロアリ防除方法及びシロアリ這い上がり防止誘導シート」の詳細が記載されている。建築物の床下の基礎内面・外面や木部面などの建築部材に、蒸散の少ないシロアリ忌避剤を塗布もしくは練り込んだシート状物を配置し、忌避効果によりシロアリの這い上がり防止、又は誘導ガイドとしてシロアリを防除するものである。
【０００４】
更に、従来技術である特開２０００−１９８０号公報（特許文献３）には、床面作業をスムーズに進行させることができる「床下収納装置及びその設置工法」が記載されている。即ち、この設置工法は、床下のコンクリート面上にレールを形成し、このレール上に上方開口部を有する横長直方体型の収納ボックスを摺動自在に配置し、床面に形成された開口部から収納ボックスを差し込んでレール上に順次に組立・連結するものである。
【先行技術文献】
【特許文献】
【０００５】
【特許文献１】特開２００５−７５９６７号公報
【特許文献２】特開２００９−４０７１０号公報
【特許文献３】特開２０００−１９８０号公報
【発明の概要】
【発明が解決しようとする課題】
【０００６】
上述したように、前記特許文献１には、「防蟻塗料及び防蟻工事方法」として、防蟻工事方法が記載されている。また、前記特許文献２には、「シロアリ防除方法及びシロアリ這い上がり防止誘導シート」が記載されている。
しかし、両特許文献ともに、床下にある防蟻工事方法やシロアリ防除方法を実施するためには、作業者が床下に入って実施作業をしなければならない。このとき、例えば台所の床面にある開口部から床下に出入りすると、作業による粉塵が開口部を介して床上室内に入り込み、また作業者が開口部から出るときに床上室内に粉塵などを誘導するという事態が生じる。これを防ぐために床上室内防汚装置の開発が従来行われていない、又は十分に行われてこなかった、というのが実情である。
【０００７】
また、特許文献３には、床面作業をスムーズに進行できる「床下収納装置及びその設置工法」が記載されている。ここには、床面に形成された開口部から収納ボックスを差し込んで順次に組立・連結すると明示されている。
しかし、特許文献１・２と全く同様の問題、即ち、作業による粉塵が開口部を介して床上室内に入り込み、人が生活する床上室内を汚染してしまうという問題がある。また、これを防ぐために床上室内防汚装置の開発が従来行われていない、又は十分に行われてこなかった、というのが実情である。
【０００８】
従って、本発明の第１の目的は、床下調査や害虫駆除や清掃作業や配線作業や各種床下工事などの床下作業を実施する際に、床面の開口部から出てくる粉塵などの汚れを遮断し、また作業者がその開口部から床上室内に出るときに誘導される粉塵などの汚れを遮断して、床上室内を常に清浄に保持する床下作業で使用される床上室内防汚装置を提供するものである。
また、本発明の第２の目的は、開口部の上方を囲むように開口部用防汚装置を配置し、この開口部用防汚装置を、開口部の周囲を取り巻く開口部周囲床面の上に配置される開口部用枠体と、開口部の上方を囲むように開口部用枠体で囲まれた空間を包囲する包囲フィルムと、この包囲フィルムの一面に開放された又は開放可能に設けられた出入口から構成して、頑丈な開口部用枠体を用いて開口部用防汚装置を強固に構成して作業者の多数回の出入りに対応できる耐久性を有し、被覆された包囲フィルムにより塵埃などを完全に遮断できる開口部用防汚装置を提供することである。
更に、本発明の第３の目的は、前記開口部用防汚装置に形成された出入口の付近から床面の上に室内防汚用歩行路体を設けることにより、床面の開口部周辺に加えて床上室内の全領域を清浄に保持する床上室内防汚装置を提供することである。
また更に、本発明の第４の目的は、シート開口部を開口形成した掃出し窓用シートを用意し、掃出し窓用シートを建物の掃出し窓に合わせて張設し、掃出し窓用シートの周囲を掃出し窓の周囲に固定し、シート開口部を伸縮歩行路体の出口開口に接続して床上室内の防汚機能を高度化する床上室内防汚装置を提供することである。
【課題を解決するための手段】
【０００９】
本発明は、上記した課題を解決するために為されたものであり、本発明の第１の形態は、建物の床下作業を実施する際に塵埃などで床上室内が汚染されることを防止する床上室内防汚装置であり、作業員が床下に出入するために床面に開口された開口部と、開口部の上方を囲むように配置される開口部用防汚装置と、開口部用防汚装置は、開口部の周囲を取り巻く開口部周囲床面の上に配置される開口部用枠体と、開口部の上方を囲むように開口部用枠体で囲まれた空間を包囲する包囲フィルムと、包囲フィルムの一面に開放された又は開放可能に設けられた出入口からなり、出入口を通って開口部に出入りして床下作業する床下作業で使用される床上室内防汚装置である。
【００１０】
本発明の第２の形態は、開口部周囲シートを開口部周囲床面に敷設し、開口部周囲シートの上又は近傍に床面保護用の１個以上の保護部材を配置し、保護部材の上に開口部用枠体を配置して開口部用防汚装置を保護部材の上に構成し、床面を保護することができる床下作業で使用される床上室内防汚装置である。
【００１１】
本発明の第３の形態は、開口部用防汚装置に形成された出入口の付近から床面の上に室内防汚用歩行路体を設ける床下作業で使用される床上室内防汚装置である。
【００１２】
本発明の第４の形態は、開口部周囲シートから連続して内端片を開口部の内方に垂下させ、又は内端片を床面の裏側に折曲させて防汚機能を高める床下作業で使用される床上室内防汚装置である。
【００１３】
本発明の第５の形態は、開口部用防汚装置が直方体状に組み立てられた直方体状開口部用防汚装置であり、直方体状開口部用防汚装置は略直方体状の開口部用枠体と略直方体状の包囲フィルムから構成され、包囲フィルムは略直方体状の６面からなり、下端面が開口された下端開口を有し、正面には正面開口を有して出入口が形成されているか、又は正面フィルムを有し、正面フィルムには略四角状又は略コ字状に開放用切線が形成され、該開放用切線を切って開放フィルム片を切り取るか、前方に垂らすか、又は上にまくり上げると出入口が開放形成され、包囲フィルムを下端開口から開口部用枠体に包被して直方体状開口部用防汚装置を構成する床下作業で使用される床上室内防汚装置である。
【００１４】
本発明の第６の形態は、直方体状開口部用防汚装置において、開口部用枠体は、４隅に矩形枠孔を穿設した２個の矩形枠と、左右端に接続棒突起を突設した４本の接続棒とからなり、２個の矩形枠を離間した状態で左右に対向して配置し、矩形枠の間の４隅に４本の接続棒を横設し、各接続棒の左右の接続棒突起を左右の矩形枠の矩形枠孔に夫々挿着して直方体状に構成される床下作業で使用される床上室内防汚装置である。
【００１５】
本発明の第７の形態は、直方体状開口部用防汚装置において、略直方体状の前記開口部用枠体は、４本の横管を矩形状に配置した上段矩形体と、４本の横管を矩形状に配置した下段矩形体と、上段矩形体と下段矩形体を離間して上下に対向配置し、上段矩形体と下段矩形体の４隅を上下に連結する４本の縦管を立設して略直方体を形成し、略直方体の８個の角部に三方に継手孔部を形成した三方継手を配置し、夫々の三方継手の三方の継手孔部に２本の横管の端部と１本の縦管の端部を挿着して強固な略直方体に構成される床下作業で使用される床上室内防汚装置である。
【００１６】
本発明の第８の形態は、略直方体に構成された前記開口部用枠体１０において、上段矩形体を構成する４本の横管と、下段矩形体を構成する４本の横管と、立設された４本の縦管の夫々には伸縮紐が挿通され、それらの伸縮紐が８個の三方継手の中で相互に伸縮可能に連結されており、８個の三方継手から横管と縦管を抜脱させた状態では８本の横管と４本の縦管と８個の三方継手がそれらの伸縮紐により分離不能且つ伸縮可能な略自由状態になり、直方体状開口部用防汚装置を容易に組み立てることができる床下作業で使用される床上室内防汚装置である。
【００１７】
本発明の第９の形態は、直方体状の開口部用枠体において、４本の縦管に夫々挿通される伸縮紐は上下端に伸縮輪を形成した伸縮縦紐であり、上段矩形体を構成する４本の横管に挿通される伸縮紐は、４本の伸縮縦紐の上方の４個の伸縮輪を挿通する一本の伸縮環状紐で形成され、下段矩形体を構成する４本の横管に挿通される伸縮紐は、４本の伸縮縦紐の下方の４個の伸縮輪を挿通する一本の伸縮環状紐で形成されている床下作業で使用される床上室内防汚装置である。
【００１８】
本発明の第１０の形態は、開口部用防汚装置はループ状に組み立てられたループ状開口部用防汚装置であり、ループ状開口部用防汚装置はループ状の開口部用枠体とループ状の包囲フィルムから構成され、ループ状の開口部用枠体は、上方にループ部を有し作業員が歩行できる程度の高さを有した直立形状の直立ループ枠体を２個用意し、開口部を内包するように２個の直立ループ枠体を連結棒で相互に離間するように連結して対向配置し、包囲フィルムは背面と正面と周面と下端面の４面からなり、下端面は開口されて下端開口を有し、正面は開口されて作業員が出入りする出入口を有し、背面を密封する背面フィルムと、２個のループ部を含む周面を密封する周面フィルムから少なくとも構成される床下作業で使用される床上室内防汚装置である。
【００１９】
本発明の第１１の形態は、室内防汚用歩行路体が、開口部用防汚装置の出入口から連続して床面に載置された伸縮歩行路体からなり、伸縮歩行路体は、上方にループ部を有し作業員が歩行できる程度の高さを有した直立形状の直立ループ枠体が離間した状態で２個以上連接されており、直立ループ枠体には複数個の直立ループ枠体孔が穿設されており、全ての隣接する２個の直立ループ枠体の間は底面フィルムと周面フィルムにより密封されており、全ての直立ループ枠体は作業員が歩行できるように開放されて、入口側は入口開口及び出口側は出口開口となり、未使用時には全ての直立ループ枠体を圧縮状態に隣接させて容積縮小させ、使用時には必要な隣接する直立ループ枠体の間を連結棒により相互に離間状に連結して容積膨張させて歩行路体として使用する床下作業で使用される床上室内防汚装置である。
【００２０】
本発明の第１２の形態は、シート開口部を開口形成した１枚の掃出し窓用シートを用意し、掃出し窓用シートを建物の掃出し窓に合わせて張設し、掃出し窓用シートの周囲を掃出し窓の周囲に固定し、シート開口部を伸縮歩行路体の出口開口と同形状に形成し、伸縮歩行路体の出口開口をシート開口部に接続して床上室内の防汚機能を高度化する床下作業で使用される床上室内防汚装置である。
【００２１】
本発明の第１３の形態は、室内防汚用歩行路体が、開口部用防汚装置の出入口から床面に敷設された床面シートである床下作業で使用される床上室内防汚装置である。
【００２２】
本発明の第１４の形態は、シート開口部を開口形成した１枚の掃出し窓用シートを用意し、掃出し窓用シートを建物の掃出し窓に合わせて張設し、掃出し窓用シートの周囲を掃出し窓の周囲に固定し、床面シートをシート開口部に接続して防汚機能を向上させる床下作業で使用される床上室内防汚装置である。
【００２３】
本発明の第１５の形態は、先端側に差込端部を有し後端側に受入端部を有した伸縮導管を用意し、伸縮導管は伸縮して長短調節可能であり、伸縮導管の中に長尺部材を挿通させ、差込端部を開口部用防汚装置に接続し、長尺部材を床面の開口部から床下に導入して床下作業を支援する床下作業で使用される床上室内防汚装置である。
【００２４】
本発明の第１６の形態は、差込端部にロック用ボタンを有し受入端部にロック用孔を有した伸縮導管を２本以上用意し、一方の伸縮導管の差込端部を他方の伸縮導管の受入端部に内入させてロック用ボタンをロック用孔にロックさせて両者を分離不能に接続し、これを繰り返して任意長の長尺部材でも床面の開口部から床下に導入して床下作業を支援可能である床下作業で使用される床上室内防汚装置である。
【発明の効果】
【００２５】
本発明の第１の形態によれば、建物の床下作業を実施する際に塵埃などで床上室内が汚染されることを防止する床上室内防汚装置であり、作業員が床下に出入するために床面に開口された開口部と、開口部の上方を囲むように配置される開口部用防汚装置から構成される床上室内防汚装置が提供できる。開口部の上方を開口部用防汚装置により包被するから、開口部から床上室内に塵埃などが侵入せず、床上室内を清浄に保持できる。
また、前記開口部用防汚装置は、開口部の周囲を取り巻く開口部周囲床面の上に配置される開口部用枠体を基体としているから、極めて頑丈な構造体であり、作業者が多数回に亘って開口部を出入りしても安定かつ安全に構造体を維持することができる。しかも開口部用枠体は一定の重量を有するから、風や作業者の接触程度では移動せず、安定して定位置に保持できる利点がある。そして、前記開口部の上方を囲むように前記開口部用枠体で囲まれた空間を包囲フィルムにより包囲するから、前記開口部用枠体の内部空間を床上室内から密閉状に分離でき、開口部から開口部用枠体の内部空間を介して床上室内に塵埃などが侵入発散されるのを完全かつ確実に遮断できる機能を有する。
更に、包囲フィルムの一面には開放された又は開放可能に設けられた出入口が形成され、開放されている場合には必要に応じて遮断フィルムを設けて開閉すればよい。従って、作業者が出入口を通って開口部に出入りして床下作業することができ、床上室内の清浄性を保持しながら、床下作業を効率的に進行させることができる。
また更に、上記包囲フィルムを透明フィルムで形成すれば、内部の作業者の動作を外部から容易に視認でき、床上室内の点灯又は自然光により床面の開口部から床下に光が透過し、床下内に居る作業者が開口部の位置を簡単に確認でき、開口部が床下内での明かり窓として機能することができる。勿論、床下作業では開口部から床下内を点灯することもできることは云うまでもない。
【００２６】
本発明の第２の形態によれば、開口部周囲シートを開口部周囲床面に敷設し、開口部周囲床面が汚染されることを防止できる。開口部周囲シートは包囲フィルムの下端縁を内包に折曲したり、包囲フィルムの底面側フィルムを矩形状に切り欠き開口してもよく、或いは環状の底面シートを敷設したり、1枚の底面シートを切り欠き開口してもよい等、種々の形態がある。
また、開口部周囲シートの上又は近傍に床面保護用の１個以上の保護部材を配置してもよく、開口部周囲シートを設けないで開口部周囲床面に１個以上の保護部材を配置し、保護部材の上に開口部用枠体を配置して開口部用防汚装置を保護部材の上に構成することができる。このようにすれば、頑丈な開口部用枠体から
床面を保護することができ、床面を傷つけることも無いので、安心且つ安全な床上室内防汚装置を提供することができる。
また、保護部材としてはゴムや柔軟性樹脂から形成されれば、床面に対し高摩擦性を有し、保護部材が床面に対し滑り難いので、保護部材の上に開口部用防汚装置を組み立てると、作業者が接触しても開口部用防汚装置が左右に移動せず、開口部用防汚装置の位置安定性を確保することができる。
【００２７】
本発明の第３の形態によれば、開口部用防汚装置に形成された出入口の付近から床面の上に室内防汚用歩行路体を設ける床下作業で使用される床上室内防汚装置が提供される。
上述したように、開口部用防汚装置の包囲フィルムにより開口部を覆う開口部用防汚装置の内部と床上室内とは粉塵などに関し完全に遮断される。本第３形態により包囲フィルムの出入口から作業者の出入りに際して持ち出される粉塵などは、室内防汚用歩行路体により床上室内に拡散することが防止される。
室内防汚用歩行路体の例として、後述する床面シートや伸縮歩行路体などが存在する。幅広の床面シートを用いれば作業者が歩行しても塵埃などは床面シート上に落下するだけであり床上室内に拡散しない。また、外気から密閉された伸縮歩行路体であれば、その中を作業者が歩行しても塵埃などは伸縮歩行路体の内部に落下するだけであり、床上室内を清浄に保持することが可能になる。
【００２８】
本発明の第４の形態によれば、開口部周囲シートから連続して内端片を開口部の内方に垂下させ、又は内端片を床面の裏側に折曲させて防汚機能を高める床上室内防汚装置が提供できる。
少なくとも開口部周囲床面を被覆する開口部周囲シートの内端片を開口部側に長くして、その内端片を開口部の内方に垂下させ、又は内端片を床面の裏側に折曲させれば、開口部周囲シートと床面の間に塵埃が侵入することが防止でき、開口部の内端縁が塵埃で汚れることも防止することができる。
【００２９】
本発明の第５の形態によれば、開口部用防汚装置として直方体状に組み立てられた直方体状開口部用防汚装置が提供される。直方体状とは立方体を含む直方体や略直方体形状を含む概念である。直方体状であるから、作業者が接触しても直方体状開口部用防汚装置は床面上を滑り難く、転がらず、安定した定位置性を保持でき、その結果床面の開口部を安定して常時包囲できるから、床上室内の清浄性も安定して保持することができる。
また、直方体状開口部用防汚装置は略直方体状の開口部用枠体と略直方体状の包囲フィルムから構成されており、略直方体状の開口部用枠体は組み立てが容易で転がることが無く、所定の重量を有するから転動せず、横ずれせず、位置安定性を有している。また包囲フィルムを略直方体状の開口部用枠体に被せることも容易に行え、開口部用枠体の内部空間を確実に密閉できる利点を有する。
更に、包囲フィルム２０は略直方体状の６面からなり、下端面が開口された下端開口を有し、正面には正面開口を有して前記出入口が形成されているか、又は正面フィルムを有し、正面フィルムには略Ｌ字状、略四角状又は略コ字状に開放用切線が形成され、該開放用切線を切って開放フィルム片を切り取るか、前方に垂らすか、又は上にまくり上げると前記出入口を容易に開放形成することができる。正面開口の場合には、正面開口を開閉できる開閉フィルムを別添するか、開放フィルム片を切り取らずに垂下又はまくり上げるだけで開放フィルム片により開閉自在に構成することができる。
また更に、包囲フィルムを下端開口から開口部用枠体に上側から下方に向けて包被して直方体状開口部用防汚装置を容易に構成することができる。
【００３０】
本発明の第６の形態によれば、直方体状開口部用防汚装置において、開口部用枠体は、４隅に矩形枠孔を穿設した２個の矩形枠と、左右端に接続棒突起を突設した４本の接続棒とからなり、２個の前記矩形枠を離間した状態で左右に対向して配置し、矩形枠の間の４隅に４本の接続棒を横設し、各接続棒の左右の接続棒突起を左右の矩形枠の矩形枠孔に夫々挿着することによって、容易に直方体状に構成される床上室内防汚装置を提供できる。
ロッドからなる２個の矩形枠と４本の接続棒を分解して現場に持参するから部材が嵩張らず、それらを現場で組み合わせるだけで、簡単に強固な構造体である直方体状開口部用防汚装置を組み立てることができる利点を有する。
【００３１】
本発明の第７の形態によれば、直方体状開口部用防汚装置において、略直方体状の開口部用枠体は、４本の横管１３を矩形状に配置した上段矩形体と、４本の横管を矩形状に配置した下段矩形体と、上段矩形体と下段矩形体を離間して上下に対向配置し、上段矩形体と下段矩形体の４隅を上下に連結する４本の縦管を立設して略直方体を形成し、略直方体の８個の角部に三方に継手孔部を形成した三方継手を配置し、夫々の三方継手の三方の継手孔部に２本の横管の端部と１本の縦管の端部を挿着するだけで、強固な略直方体に容易に構成される床上室内防汚装置を提供できる。
パイプからなる８本の横管と４本の縦管と８個の三方継手を分解して現場に持参するから部材が嵩張らず、それらを現場で組み合わせるだけで、簡単に強固な構造体である直方体状開口部用防汚装置を組み立てることができ，種々のパイプを使用できる利点を有する。
【００３２】
本発明の第８の形態によれば、略直方体に構成された開口部用枠体において、上段矩形体を構成する４本の横管と、下段矩形体を構成する４本の横管と、立設された４本の縦管の夫々には伸縮紐が挿通され、それらの伸縮紐が８個の三方継手１５の中で相互に伸縮可能に連結されており、８個の三方継手から横管と縦管を抜脱させた状態では８本の横管と４本の縦管と８個の三方継手がそれらの伸縮紐により分離不能且つ伸縮可能な略自由状態になり、直方体状開口部用防汚装置を容易に組み立てることができる床上室内防汚装置を提供できる。
第７形態と異なる点は、８本の横管と４本の縦管と８個の三方継手がそれらの伸縮紐により分離不能且つ伸縮可能な略自由状態に構成されていることである。従って、分解しても８本の横管と４本の縦管と８個の三方継手が伸縮紐により分離不能且つ伸縮可能な略自由状態になっており、相互にバラバラでないから、直方体状開口部用防汚装置を再組み立てすることが容易に行える利点を有する。
即ち、運搬するときには、分離不能且つ伸縮可能な略自由状態のまま袋に装入し、現場で基本形状に再組み立てすれば良いだけであるから、部材の紛失がなく、運搬が容易で、しかも再組み立てを迅速に行える直方体状開口部用防汚装置を実現することができる。
【００３３】
本発明の第９の形態によれば、直方体状の開口部用枠体において、４本の縦管に夫々挿通される伸縮紐は上下端に伸縮輪を形成した伸縮縦紐であり、上段矩形体を構成する４本の横管に挿通される伸縮紐は、４本の伸縮縦紐の上方の４個の伸縮輪を挿通する一本の伸縮環状紐で形成され、下段矩形体を構成する４本の横管に挿通される伸縮紐は、４本の伸縮縦紐の下方の４個の伸縮輪を挿通する一本の伸縮環状紐で形成されている床上室内防汚装置が提供される。
本第９形態は第８形態の下位概念としての実施例であり、上下端に伸縮輪を形成した４本の伸縮縦紐と、２本の伸縮環状紐を使用する点で特徴を有する。本発明者らは何回も分解と再組み立てを反復したが、伸縮紐をこのように構成することによって、運搬用に分解しても無理の無い分離不能且つ伸縮可能な略自由状態を実現でき、しかも再組み立てを迅速化することが実現できた。
【００３４】
本発明の第１０の形態によれば、開口部用防汚装置はループ状に組み立てられたループ状開口部用防汚装置であり、ループ状の開口部用枠体とループ状の包囲フィルムから構成されたループ状開口部用防汚装置が提供できる。本形態は、上述した直方体状開口部用防汚装置と異なる別実施形態である。ループ状に形成することにより、部材点数を減少させ、作業者が立ったまま作業ができるようになる点で、作業性の改善が実現できる利点を有する。
ループ状の開口部用枠体は、上方にループ部を有し作業員が歩行できる程度の高さを有した直立形状の直立ループ枠体を２個用意し、開口部を内包するように２個の直立ループ枠体を連結棒で相互に離間するように連結して対向配置し、包囲フィルムは背面と正面と周面と下端面の４面からなり、下端面は開口されて下端開口を有し、正面は開口可能に形成され作業員が出入りする出入口を形成可能であり、背面を密封する背面フィルムと、２個の前記ループ部を含む周面を密封する周面フィルムから少なくとも構成される床上室内防汚装置が提供される。
２個の直立ループ枠体と離間用の連結棒を各面のフィルムから構成されるだけであるから、連結棒を脱離して包囲フィルムを抜脱させると、２個の直立ループ枠体を対面接触させるだけで各面のフィルムも収縮して、全体を容積縮小できる利点を有する。直立ループ枠体も組立可能にすることによって運搬が極めて容易になる。全体を分解して運搬し、現場で２個の直立ループ枠体を組み立て、連結棒で相互に離間させた後、包囲フィルムで包囲すれば、全体を簡単に組み立てることができる。
【００３５】
本発明の第１１の形態によれば、室内防汚用歩行路体は、開口部用防汚装置の出入口から連続して床面に載置された伸縮歩行路体からなり、縮小させれば容積収縮して運搬が容易になり、現場で簡単に組み立てれば容積膨張して全体を再構成することができる利点を有する。
伸縮歩行路体は、上方にループ部を有し作業員が歩行できる程度の高さを有した直立形状の直立ループ枠体が離間した状態で２個以上連接されており、直立ループ枠体には複数個の直立ループ枠体孔が穿設されており、全ての隣接する２個の直立ループ枠体の間は底面フィルムと周面フィルムにより密封されており、全ての直立ループ枠体は作業員が歩行できるように開放されて、入口側は入口開口及び出口側は出口開口となっている。未使用時には全ての直立ループ枠体を圧縮状態に隣接させて容積縮小させ、使用時には必要な隣接する直立ループ枠体の間を連結棒により相互に離間状に連結して容積膨張させて歩行路体として使用することができる。このような伸縮歩行路体を有した床上室内防汚装置を提供することができる。
従って、容積縮小させて運搬でき、現場で容積膨張させることによって簡単かつ迅速に室内防汚用歩行路体を実現できる利点を有する。
【００３６】
本発明の第１２の形態によれば、シート開口部を開口形成した１枚の掃出し窓用シートを用意し、掃出し窓用シートを建物の掃出し窓に合わせて張設し、掃出し窓用シートの周囲を掃出し窓の周囲に固定し、シート開口部を伸縮歩行路体の出口開口と略同形状に形成し、伸縮歩行路体の出口開口をシート開口部に接続して床上室内の防汚機能を高度化する床下作業で使用される床上室内防汚装置を提供できる。
たった１枚の掃出し窓用シートを用いて掃出し窓の清浄性を保持できる利点がある。しかもこの掃出し窓用シートのシート開口部を略同形状の伸縮歩行路体の出口開口と接合すれば、床面の開口部から掃出し窓までを一体化して床上室内の清浄化を完全に実現でき、床上室内を最高度の清浄性に保持しながら床下作業を実施することができる。
【００３７】
本発明の第１３の形態によれば、室内防汚用歩行路体が、開口部用防汚装置の出入口から床面に敷設された床面シートである床下作業で使用される床上室内防汚装置が提供できる。
室内防汚用歩行路体として床面シートを用いるだけであるから、幅広の床面シートを用いるだけで簡単に床上室内の防汚を実現でき、簡単な構成で且つ低コストの床上室内防汚装置を提供できる。
【００３８】
本発明の第１４の形態によれば、シート開口部を開口形成した１枚の掃出し窓用シートを用意し、掃出し窓用シートを建物の掃出し窓に合わせて張設し、掃出し窓用シートの周囲を掃出し窓の周囲に固定し、床面シートをシート開口部に接続して防汚機能を向上させる床下作業で使用される床上室内防汚装置を提供することができる。
室内防汚用歩行路体である第１３形態の床面シートを掃出し窓用シートのシート開口部に接続するだけで、床面の開口部から掃出し窓までを一体化して床上室内の清浄化を完全に実現でき、床上室内の清浄性を保持しながら床下作業を実施することができる。
【００３９】
本発明の第１５の形態によれば、先端側に差込端部を有し後端側に受入端部を有した伸縮導管を用意し、伸縮導管は伸縮して長短調節可能であり、伸縮導管の中に長尺部材を挿通させ、差込端部を開口部用防汚装置に接続し、長尺部材を床面の開口部から床下に導入して床下作業を支援する床下作業で使用される床上室内防汚装置が提供できる。
本形態の長尺部材とは、例えば電気ケーブル、水道ホース、薬液ホース、その他の長尺部材であり、床上室内又は建物の外側から長尺部材を伸縮導管に挿通して開口部から床下に配設できるから、長尺部材による床上室内の汚染を防止でき、床上室内の清浄性を効率的に保持することができる。
２本以上の伸縮導管を接続すれば任意長の長尺部材に対応することができる利点を有する。
【００４０】
本発明の第１６の形態によれば、差込端部にロック用ボタンを有し受入端部にロック用孔を有した伸縮導管を２本以上用意し、一方の伸縮導管の差込端部を他方の伸縮導管の受入端部に内入させてロック用ボタンをロック用孔にロックさせて両者を分離不能に接続し、これを繰り返して任意長の長尺部材でも床面の開口部から床下に導入して床下作業を支援可能である床下作業で使用される床上室内防汚装置を提供することができる。
差込端部にロック用ボタンを有し受入端部にロック用孔を有した伸縮導管を２本以上ロックして接続できるから、分離操作をする以外には途中で分離不能であり、長尺部材による床上室内の汚染をその長さに拘わらず防止することができる利点がある。
【図面の簡単な説明】
【００４１】
【図１】図１は、本発明に係る床下作業で使用される床上室内防汚装置１の全体図である。
【図２】図２は、本発明において開放フィルム片２５を用いた床上室内防汚装置１の全体斜視図である。
【図３】図３は、本発明において開口部周囲シート３０の内端片３１を垂下又は折曲させた状態の拡大図である。
【図４】図４は、本発明において開口部用枠体１０の一実施例の組立分解斜視図である。
【図５】図５は、本発明において床上室内防汚装置１の組立分解斜視図である。
【図６】図６は、本発明において室内防汚用歩行路体４０として伸縮歩行路体４３を用いた床上室内防汚装置１の全体斜視図である。
【図７】図７は、図６の開口部用防汚装置２としてループ状開口部用防汚装置２Ｂを用いた床上室内防汚装置１の全体斜視図である。
【図８】図８は、本発明において室内防汚用歩行路体４０として用いられる伸縮歩行路体４３の分解斜視図である。
【図９】図９は、本発明において開口部用防汚装置２に連結された伸縮導管５０の配置図である。
【図１０】図１０は、図９に示された伸縮導管５０の短縮状態と伸長状態を示す状態図である。
【図１１】図１１は、本発明において室内防汚用歩行路体４０の建物出口部の一例を示した状態図である。
【図１２】図１２は、本発明において開口部用枠体１０の他実施例の斜視図である。
【図１３】図１３は、本発明において図１２に示す三方継手１５と縦管１４と下段側の横管１３、１３との連結状態を説明する継手連結図である。
【図１４】図１４は、本発明の図１２において、上段及び下段の４本の横管１３に内挿される伸縮環状紐１６と４本の縦管１４に内挿される伸縮縦紐１７との結合状態を示す伸縮紐結合図である。
【図１５】図１５は、本発明において図１２に示す三方継手１５の具体的実施例を表す斜視図である。
【図１６】図１６は、本発明において図１５の三方継手１５を１個だけ使って組み立てられた開口部用枠体１０の具体的構成図である。
【図１７】図１７は、本発明の図１６に示す開口部用枠体１０において、２本の横管１３と１本の縦管１４を三方継手１５で連結した角部拡大図である。
【図１８】図１８は、本発明の図１６に示す開口部用枠体１０において、２本の横管１３に挿通された伸縮環状紐１６と１本の縦管１４に挿通された伸縮縦紐１７との連結状態を示す伸縮紐連結図である。
【図１９】図１９は、本発明の図１６に示す開口部用枠体１０を組み立てる組立手順図である。
【発明を実施するための形態】
【００４２】
以下に、本発明に係る床下作業で使用される床上室内防汚装置の実施形態を図面に基づいて詳細に説明する。
【００４３】
図１は、本発明に係る床下作業で使用される床上室内防汚装置１の全体図である。今、床下に入り込む開口部４が台所部屋にあると仮定して説明する。
台所部屋には台所装置Ａが存在し、その床面５に床下に通じる開口部４が開口されている。床下作業をするために、床上室内防汚装置１が配置されている。前記床上室内防汚装置１は、開口部４を上方から包囲する開口部用防汚装置２と、作業者３が床上室内を歩行する室内防汚用歩行路体４０から構成されている。
【００４４】
開口部用防汚装置２は略直方体形状に形成された直方体状開口部用防汚装置２Ａから構成され、作業者３が床下に出入りする開口部４の上方を包囲するように開口部用枠体１０が配置され、この開口部用枠体１０の全体を包囲する包囲フィルム２０により密閉されている。直方体状に形成することによって取り扱いや設置が容易で、作業者３が接触しても床面との摩擦力により室内を移動したり転がったりすることが防止でき、直方体状開口部用防汚装置２Ａの位置安定性を保証している。しかも開口部用枠体１０が所定の重量を有しているので、形状安定性と移動し難いので定位置安定性が一層に確保できる。
開口部用防汚装置２が室内を包囲フィルム２０の正面側には開放用切線２４がコ字状に形成され、この開放用切線２４を切ることにより開放フィルム片２５が前方に倒れて出入口が開口される。開口部４の周囲に存在する開口部周囲床面６には開口部周囲シート３０が矩形環状に敷設され、この開口部周囲シート３０上の左右両側には保護部材３５、３５が配置されている。保護部材３５、３５の上側に前記開口部用枠体１０が載置されている。
保護部材３５はゴムや柔軟性樹脂や強力スポンジ体などから形成されており、頑丈な開口部用枠体１０で床面５が傷つかないように構成されている。しかも、保護部材３５は床面に対する移動に際して大きな摩擦力を作用し、開口部用枠体１０が床面に対し移動しないように構成されている。つまり保護部材３５は床面保護と開口部用枠体１０の定位置安定性を保証している。
本実施形態では、前記室内防汚用歩行路体４０は幅広の床面シート４１からなり、この床面シート４１は開口部用防汚装置２の正面側下縁から前方まで敷設されており、室内の必要な途中まででも良いし、建物の外壁面まで敷設されてもよく、その長さは必要に応じて長短に調整される。
【００４５】
図２は、本発明において開放フィルム片２５を用いた床上室内防汚装置１の全体斜視図である。
開放用切線２４を切ることにより開放フィルム片２５が前方に倒れて出入口２６が開口され、この出入口を通じて作業者３が開口部４に対し出入可能になる。作業者３が開口部４を出入りしても開口部用防汚装置２により床上室内に粉塵などが侵入することはない。また、出入口２６には開閉フィルム片を張り付けることもでき、出入りの際に開閉フィルム片を開放した後閉じるようにすれば密閉性を確保できるから、清浄性をより一層に向上できる。更に、作業者３が出入口２６を介して床面シート４１を歩行しても幅広の床面シート４１により塵埃などが床上室内を汚染することが防止される。
【００４６】
図３は、本発明において開口部周囲シート３０の内端片３１を垂下又は折曲させた状態の拡大図である。
（３Ａ）は拡大斜視図であり、床面５上に床面シート４１と開口部周囲シート３０により開口部４の周囲の清浄性を確保できる。また、開口部周囲シート３０の内端片３１が開口部４の周囲４辺から下方に垂下しているから、床面５との間に隙間がなくなり、作業者３が出入りしても開口部４からの塵埃などが隙間から床面５の上に入り込むことが完全に防止でき、床面５の清浄性を確保できる利点がある。開口部周囲シート３０は上述した包囲フィルム２０の下端周縁を内方に折り曲げて形成しても良いし、独立した矩形環状シートを開口部周囲床面６に載置してもよいなど、種々の方法で構成することができる。
（３Ｂ）は内端片３１の垂下状態の断面図であり、開口部周囲シート３０の内端片３１が開口部４の中へと下方に向かって垂下していることが分かる。この垂下によって、床面５への塵埃などの侵入が遮断で切ることは云うまでもない。延長シート２９は床面シート４１であっても良いし、開口部周囲シート３０の一辺が長い目に延長されて床面シート４１と連設されてもよい。
（３Ｃ）は内端片３１の折曲状態の断面図であり、開口部周囲シート３０の内端片３１が床面５の裏面側に折り曲げられた状態を示している。折曲させた方が塵埃などの遮断作用が効果的に働き、床面５の清浄性の保持には好都合である。開口部４の中へと下方に向かって垂下していることが分かる。
【００４７】
図４は、本発明において開口部用枠体１０を直方体状に構成した一実施例の組立分解斜視図である。
（４Ａ）は開口部用枠体１０の組立分解図である。前記直方体状開口部用防汚装置２Ａにおいて、前記開口部用枠体１０の組立は、４隅に矩形枠孔１１ａを穿設した２個の矩形枠１１が左右に対向して配置される。２個の前記矩形枠１１、１１が離間した状態で、矩形枠１１の四隅の間に、左右端に接続棒突起１２ａ、１２ａを突設した４本の接続棒１２、１２、１２、１２が横設される。
（４Ｂ）は開口部用枠体１０の組立完成図であり、各接続棒１２の左右の接続棒突起１２ａ、１２ａを左右の前記矩形枠１１の矩形枠孔１１ａ、１１ａに夫々挿着固定すると、略直方体状の前記開口部用枠体１０が完成される。
このように、この開口部用枠体１０は組み立て容易であり、一定の重量を有しているから移動し難くまた転がることもないから、開口部４に配置すれば定位置安定性に優れている。
【００４８】
図５は、本発明において直方体状開口部用防汚装置２Ａからなる床上室内防汚装置１の組立分解斜視図である。
（５Ａ）は図４で完成された略直方体状の開口部用枠体１０の斜視図であり、分解して現場へ運搬され、図示のように現場で容易に組み立てられる。
（５Ｂ）は略直方体状の包囲フィルム２０の斜視図である。前記包囲フィルム２０は略直方体状の６面からなり、下端面が開口された下端開口２１を有し、正面側には正面フィルム２７を有し、前記正面フィルム２７には略四角状又は略コ字状に開放用切線２４が形成され、該開放用切線２４を切って開放フィルム片２５を切り取るか又は前方に垂らすと前記出入口２６が開放形成される。従って、密閉性を確保できるだけでなく、出入りが極めて簡単に行える利点がある。
また、別実施例として前記正面フィルム２７には正面開口を初めから有して、その正面開口が前記出入口２６にされても良い。この場合には、正面開口を開閉する開閉フィルム片を前記正面フィルム２７に取着して開閉自在にするように構成すると、密閉性を確保でき、粉塵などの遮断効果が高くなる。残り３面は側面フィルム２２、２２、２２からなり、上面側には上面フィルム２３が配置されている。
（５Ｃ）前記包囲フィルム２０を前記下端開口２１から前記開口部用枠体１０に包被して下方に降ろすと、直方体状開口部用防汚装置２Ａが完成される。下方には、開口部４の周囲に開口部周囲シート３０が敷設され、その４辺の内端片３１が下方に垂下されている。勿論、床面の下側に沿って折曲してもよく、開口部周辺の清浄性を確保できる。その左右両側には、床面材３６と側面材３７を略直角状に形成した保護部材３５、３５が配置されている。床面が傷つかず、保護部材の高摩擦性により移動や転がりが防止でき、一安定性に優れている。また、室内防汚用歩行路体４０として床面シート４１が床面に敷設されている。従って、開口部周囲シート３０の上側に又は近傍に配置された保護部材３５の上に、上述した直方体状開口部用防汚装置２Ａを載置すれば、直方体状開口部用防汚装置２Ａと床面シート４１からなる床上室内防汚装置１が構成される。床面シート４１の端縁は開口部周囲シート３０の上側又は下側に重ねるだけでよい。従って、全体構成の組立が迅速かつ簡単に行える。
【００４９】
図６は、本発明において室内防汚用歩行路体４０として伸縮歩行路体４３を用いた床上室内防汚装置１の全体斜視図である。
この床上室内防汚装置１では、開口部用防汚装置２として上述した直方体状開口部用防汚装置２Ａが使用され、室内防汚用歩行路体４０として伸縮歩行路体４３が使用されている。前記直方体状開口部用防汚装置２Ａで開放フィルム片２５を前方に垂らすと出入口２６が形成され、この出入口２６に接続して伸縮歩行路体４３が床面５に載置されている。
この伸縮歩行路体４３は、作業員が歩行できる程度の高さを有した直立形状の直立ループ枠体４４が離間した状態で２個以上連設されている。全ての隣接する２個の直立ループ枠体４４、４４の間は底面フィルム４６と周面フィルム４７により密封されており、全ての直立ループ枠体４４は作業員３が歩行できるように開放されている。伸縮歩行路体４３の入口側には入口開口４３ａ及び出口側には出口開口４３ｂが形成される。伸縮歩行路体４３の未使用時には全ての直立ループ枠体４４を圧縮状態に隣接させて容積縮小させて運搬を可能にする。使用時には直立ループ枠体４４を相互に離間させて容積膨張させ、必要な隣接する直立ループ枠体４４、４４の間を連結棒４５により連結して離間状態を安定に保持させる。従って、伸縮歩行路体４３は、容積膨張させて歩行路体として使用される。
前記直方体状開口部用防汚装置２Ａの出入口２６と伸縮歩行路体４３の入口開口４３ａを合致させるから作業者３は通行でき、出口開口４３ｂから外方へ出入りすることができる。このように、この伸縮歩行路体４３は運搬と組立が容易であるだけでなく、密閉性に優れているから床上室内の防汚特性が格段に優れている利点を有する。
最前列と最後列の直立ループ枠体４４には適当間隔で磁石４８が取着され、２段以上の伸縮歩行路体４３を接続する場合には、１段目の最後列の直立ループ枠体４４の磁石４８と、２段目の最前列の直立ループ枠体４４の磁石４８とを磁着させれば、簡単に２段以上の伸縮歩行路体４３を相互に接続することができ、任意長の室内防汚用歩行路体４０を構成することができる。
【００５０】
図７は、図６の開口部用防汚装置２としてループ状開口部用防汚装置２Ｂを用いた床上室内防汚装置１の全体斜視図である。
この床上室内防汚装置１では、開口部用防汚装置２として新しくループ状開口部用防汚装置２Ｂが使用され、室内防汚用歩行路体４０として上述した伸縮歩行路体４３が使用されている。ループ状開口部用防汚装置２Ｂはループ状の開口部用枠体１０とループ状の包囲フィルム２０から構成される。
ループ状の前記開口部用枠体１０は、上方にループ部４４ａを有し作業員が歩行できる程度の高さを有した直立形状の直立ループ枠体４４を２個用意し、床面の開口部４を内包するように２個の前記直立ループ枠体４４を連結棒４５で相互に離間するように連結して対向配置されている。
ループ状の前記包囲フィルム２０は背面と正面と周面と下端面の４面からなり、下端面は開口されて下端開口２１を有し、正面は開放されて出入口４２となっており、又は開口可能に形成される正面フィルムを設けて一部開口して作業者３が出入りする出入口４２を形成可能であり、背面を密封する背面フィルム４９と、２個の前記ループ部４４ａ、４４ａを含む周面を密封する周面フィルム４７から少なくとも構成される。
また、前述したように、開口部４の周囲に開口部周囲シート３０が敷設され、その４辺の内端片３１が下方に垂下されている。その左右両側には、床面材３６と側面材３７を略直角状に形成した保護部材３５、３５が配置されている。相互に離間された２個の直立ループ枠体４４、４４は、開口部４を挟んで対向配置された２本の保護部材３５、３５の上に載置される。保護部材により床面を保護すると同時に、保護部材の高摩擦性によりループ状開口部用防汚装置２Ｂが移動することを防止し、定位置安定性を確保できる。また、作業者３が２個の直立ループ枠体４４、４４を掴めば簡単に場所替えもでき、設置後は転倒しないなどの作用効果を発揮できる。
開口部周囲シート３０は矩形環状シートを開口部周囲床面６に敷設して設けても良いし、背面フィルム４９と周面フィルム４７と必要に応じて正面フィルムの下端周縁部を内方へ折曲させて形成しても良いなど、種々の方法で配置できることは云うまでもない。
【００５１】
室内防汚用歩行路体４０としては、伸縮歩行路体４３が使用されている。上述したように、伸縮歩行路体４３は、作業員が歩行できる程度の高さを有した直立形状の直立ループ枠体４４が離間した状態で２個以上連設されている。全ての隣接する２個の直立ループ枠体４４、４４の間は底面フィルム４６と周面フィルム４７により密封されており、全ての直立ループ枠体４４は作業員３が歩行できるように開放されている。
入口側には入口開口４３ａ及び出口側には出口開口４３ｂが形成されている。本実施形態では、入口開口４３ａはループ状開口部用防汚装置２Ｂの出入口４２と共用して使用されている。また、伸縮歩行路体４３の入口側の直立ループ枠体４４はループ状開口部用防汚装置２Ｂの出入口４２側の直立ループ枠体４４と共用して使用されている。直立ループ枠体４４を共用しない場合には、伸縮歩行路体４３の入口側の直立ループ枠体４４とループ状開口部用防汚装置２Ｂの出入口４２側の直立ループ枠体４４とが隣接された状態になり、入口開口４３ａと出入口４２も隣接された状態で連通することになる。
伸縮歩行路体４３は未使用時には運搬し易いように全ての直立ループ枠体４４を圧縮状態に容積縮小させ、使用時には直立ループ枠体４４を相互に離間させて必要な隣接する直立ループ枠体４４、４４の間を連結棒４５により相互に連結して容積膨張させて歩行路体として使用する。
伸縮歩行路体４３の最前列と最後列の直立ループ枠体４４には適当間隔で磁石４８が取着され、２段以上の伸縮歩行路体４３を接続する場合には、１段目の最後列の直立ループ枠体４４の磁石４８と、２段目の最前列の直立ループ枠体４４の磁石４８とを磁着させれば、簡単に２段以上の伸縮歩行路体４３を相互に接続することができ、任意長の室内防汚用歩行路体４０を構成することができる。
この実施形態では、開口部用防汚装置２と伸縮歩行路体４３をほぼ同一形状に構成できるから、運搬や組み立てが一層迅速かつ容易に行え、装置全体の背が高いから作業者３の歩行が無理なく行える特性を有する。
【００５２】
図８は、本発明において室内防汚用歩行路体４０として用いられる伸縮歩行路体４３の分解斜視図である。
（８Ａ）は半開き状態にある伸縮歩行路体４３の斜視図である。上述したように、本形態の伸縮歩行路体４３は、上方にループ部４４ａを有して作業員が歩行できる程度の高さを有した直立形状の直立ループ枠体４４が離間した状態で２個以上連設されている。また、直立ループ枠体４４には複数個の直立ループ枠体孔４４ｂが穿設されている。全ての隣接する２個の直立ループ枠体４４、４４の間は床面フィルム４６と周面フィルム４７により密封されており、全ての直立ループ枠体４４は作業員３が通行できるように開放されている。従って、入口側には入口開口４３ａ及び出口側には出口開口４３ｂが開口されている。
（８Ｂ）は複数本の連結棒４５の斜視図である。連結棒４５は隣接する直立ループ枠体４４、４４を相互に連結するための棒体であり、両端には連結棒突起４５ａ、４５ａが突設されている。隣接する直立ループ枠体４４、４４の直立ループ枠体孔４４ｂ、４４ｂに連結棒突起４５ａ、４５ａを挿着固定して、直立ループ枠体４４、４４を相互に離間させるものである。
従って、未使用時には現場に運搬し易いように全ての直立ループ枠体４４を圧縮状態に隣接させて容積縮小させ、使用時には現場で必要な隣接する直立ループ枠体４４、４４の間を連結棒４５により相互に離間状に連結して容積膨張させて歩行路体として使用する
伸縮歩行路体４３の最前列と最後列の直立ループ枠体４４には適当間隔で磁石４８が取着され、２段以上の伸縮歩行路体４３を接続する場合には、１段目の最後列の直立ループ枠体４４の磁石４８と、２段目の最前列の直立ループ枠体４４の磁石４８とを磁着させれば、簡単に２段以上の伸縮歩行路体４３を相互に接続することができ、任意長の室内防汚用歩行路体４０を構成することができる。
以上のように、この伸縮歩行路体４３を室内防汚用歩行路体４０として用いれば、倉庫から現場への運搬や現場での組み立てが迅速容易に行え、広大な室内であっても複数段の接続が磁石だけで簡単に行える利点がある。
【００５３】
図９は、本発明において開口部用防汚装置２に連結された伸縮導管５０の配置図である。
先端側に差込端部５０ａを有した伸縮導管５０が床面５に配置され、開口部用防汚装置２の連結用孔２ｃに前記差込端部５０ａが挿着されている。この伸縮導管５０の中に、長尺部材を挿通させて、外部から必要な物資を供給するように構成されている。長尺部材とは、例えば電気ケーブル、水道水チューブ、薬液供給チューブなど各種部材が存在する。これにより、床上室内を汚染せずに床下に必要物資を供給して床下作業を支援することができる。
【００５４】
図１０は、図９に示された伸縮導管５０の短縮状態と伸長状態を示す状態図である。
（１０Ａ）は伸縮導管５０の短縮状態図である。この伸縮導管５０は、差込端部５０ａにロック用ボタン５０ｃを有し、後端の受入端部５０ｂにロック用孔５０ｄが形成されている。作業に使用していない場合には、運搬するために伸縮導管５０を短縮状態にしている。
（１０Ｂ）は伸縮導管５０の伸長状態図である。作業現場では、伸縮導管５０を伸長させ、その中に電気ケーブル、水道水チューブ、薬液供給チューブなどの長尺部材５１を挿通させる。
床上室内が広大な場合には、１本の伸縮導管５０では長さ不足の場合が生じる。そこで、伸縮導管５０を２本以上用意する。一方の伸縮導管５０の差込端部５０ａを他方の伸縮導管５０の受入端部５０ｂに内入させてロック用ボタン５０ｃをロック用孔５０ｄにロックさせて両者を分離不能に接続する。これを繰り返して任意長の前記長尺部材５１でも、外部から床面５の開口部４を経て床下に導入できるから、通常の室内から広大な室内にまで対応でき、床下作業を強力に支援することができる。
【００５５】
図１１は、本発明において室内防汚用歩行路体４０の建物出口部の一例を示した状態図である。
（１１Ａ）は掃出し窓用シート６５の取着方法図である。掃出し窓６１は建物外壁面６０に形成され、窓開口部６３と引き戸６２から構成される。シート開口部６６を開口形成した１枚の掃出し窓用シート６５を前記掃出し窓６１に張り付ける。
（１１Ｂ）は掃出し窓用シート６５の張付構造図である。前記掃出し窓用シート６５のシート開口部６６を窓開口部６３に対面させて張設し、前記掃出し窓用シート６５の周囲を前記掃出し窓６１の周囲にクリップ６７で固定することにより、掃出し窓６１及び建物外壁面６０を含む建物内外周辺を清浄に保持することができる。
前述した室内防汚用歩行路体４０が前記伸縮歩行路体４３で構成される場合には、前記シート開口部６６を前記伸縮歩行路体４３の前記出口開口４３ｂと略同形状に形成する。そうすれば、前記伸縮歩行路体４３の前記出口開口４３ｂを前記シート開口部６６に連通して接続するだけで床上室内の防汚機能を高度化することができる。
前記室内防汚用歩行路体４０が、前記開口部用防汚装置２の出入口２６、４２から床面５に敷設された床面シート４１である場合には、床面シート４１の最終端部である床面シート端部４１ａをシート開口部６６から外方に床面シート端部垂下部４１として垂下させればよい。即ち、シート開口部６６を開口形成した１枚の掃出し窓用シート６５を用意し、前記掃出し窓用シート６５を建物の掃出し窓６１に合わせて張設し、前記掃出し窓用シート６５の周囲を前記掃出し窓６１の周囲にクリップ６７で固定すれば、前記床面シート４１を前記シート開口部６６に接続でき、防汚機能を向上させた床下作業で使用される床上室内防汚装置１を構成することができる。
【００５６】
図１２は、本発明において開口部用枠体１０の他実施例の斜視図である。
前記直方体状開口部用防汚装置２Ａにおいて、略直方体状の前記開口部用枠体１０は、まず４本の横管１３を矩形状に配置した上段矩形体１９Ａと、４本の横管１３を矩形状に配置した下段矩形体１９Ｂとを離間して上下に対向配置する。
前記上段矩形体１９Ａと前記下段矩形体１９Ｂの４隅には上下に連結される４本の縦管１４が立設されて略直方体が形成される。次に、前記略直方体の８個の角部に三方に継手孔部１５ａを形成した三方継手１５が配置され、夫々の前記三方継手１５の三方の継手孔部１５ａに２本の横管１３の端部と１本の縦管１４の端部が挿着されて強固な略直方体状の開口部用枠体１０が構成される。左右の保護部材３５、３５は一点鎖線で示されている。
従って、この直方体状開口部用防汚装置２Ａからなる開口部用枠体１０は極めて強固であり、両手で開口部用枠体１０を把持すれば前記開口部４を覆うように配置することが容易である。しかも重量があるから移動し難く、転がることもないから、定位置に安定して存在する利点がある。更に、保護部材３５の上に配置すれば、床面を傷つけることもない。その重量性と保護部材３５のクッション性及び高摩擦性により床面を移動したり転がることもなく、定位置安定性に優れている。
【００５７】
図１３は、本発明において図１２に示す三方継手１５と縦管１４と下段側の横管１３、１３との連結状態を説明する継手連結図である。
この三方継手１５には、Ｘ・Ｙ・Ｚ方向に対応して３個の継手孔部１５ａ、１５ａ、１５ａが開孔されている。Ｘ・Ｙに対応する継手孔部１５ａ、１５ａには横管１３、１３が挿着されており、Ｚに対応する継手孔部１５ａには縦管１４が挿着されている。この三方継手１５ａにより上述した開口部用枠体１０の組立が容易であり、かつ強固な構造を容易に実現できる。また、結合方式は挿着でも螺着でもよく、組み立てた後に分解できるような結合であればよい。
【００５８】
図１４は、本発明の図１２において、上段及び下段の４本の横管１３に内挿される伸縮環状紐１６と４本の縦管１４に内挿される伸縮縦紐１７との結合状態を示す伸縮紐結合図である。
本形態では、図１２に示された前記開口部用枠体１０において、前記上段矩形体１９Ａを構成する４本の前記横管１３と、前記下段矩形体１９Ｂを構成する４本の前記横管１３と、立設された４本の前記縦管１４の夫々には伸縮紐が挿通されている点に特徴を有する。しかも、これらの伸縮紐が８個の前記三方継手１５の中で相互に伸縮可能に連結されているから、全体を構成する部品が分離できない状態で纏まっている。即ち、８個の前記三方継手１５から前記横管１３と前記縦管１４を抜脱させた状態であっても、８本の前記横管１３と４本の前記縦管１４と８個の前記三方継手１５がそれらの伸縮紐により分離不能且つ伸縮可能な略自由状態になっており、全部品が伸縮紐で相互に結ばれて離散しないように構成されている。従って、８個の前記三方継手１５に８本の前記横管１３と４本の前記縦管１４を装着させれば、前記直方体状開口部用防汚装置２Ａを容易に再組み立てることができ、床下作業で使用される床上室内防汚装置１の最高性が簡単かつ迅速に行える利点を有する。
更に具体的には、４本の前記縦管１４に夫々挿通される前記伸縮紐は上下端に伸縮輪１７ａを形成した伸縮縦紐１７であり、前記上段矩形体１９Ａを構成する４本の前記横管１３に挿通される前記伸縮紐は、４本の前記伸縮縦紐１７の上方の４個の伸縮輪１７ａを挿通する一本の伸縮環状紐１６で形成され、前記下段矩形体１９Ｂを構成する４本の前記横管１３に挿通される前記伸縮紐は、４本の前記伸縮縦紐１７の下方の４個の伸縮輪１７ａを挿通する一本の伸縮環状紐１６で形成されている特徴を有する。
従って、上段側では一本の伸縮環状紐１６を４本の前記伸縮縦紐１７の上方の４個の伸縮輪１７ａを挿通するだけでよく、下段側では一本の伸縮環状紐１６を４本の前記伸縮縦紐１７の下方の４個の伸縮輪１７ａを挿通するだけでよいから、伸縮紐同士の結合が簡単に行える利点がある。しかも、上方の４個の伸縮輪１７ａと下方の４個の伸縮輪１７ａを８個の三方継手１５の中に内装すれば、伸縮紐同士の継目が外部から視認できず、継目が外力で解かれる可能性がなくなり、長期耐久性を維持できる特徴がある。
【００５９】
図１５は、本発明において図１２に示す三方継手１５の具体的実施例を表す斜視図である。
（１５Ａ）は三方継手１５を表側から見た斜視図であり、３個の継手孔部１５ａの周囲にはねじ部１５ｂが形成されている。（１５Ｂ）は三方継手１５を裏側から見た斜視図であり、３個の継手孔部１５ａの周囲にはねじ部１５ｂが形成されていることが分かる。従って、三方継手１５に２本の横管１３と１本の縦管１４を挿着して締付管１５ｃ（図１６に図示）で螺合すれば、開口部用枠体１０を強固に組み立てることができる。
【００６０】
図１６は、本発明において図１５の三方継手１５を１個だけ使って組み立てられた開口部用枠体１０の具体的構成図である。
下側の手前角の三方継手１５に２本の横管１３と１本の縦管１４が挿着されて３個の締付管１５ｃで螺合されている状態が明示されている。また、その上側の手前角では、縦管１４の上側に露出した伸縮環状紐１６と伸縮縦紐１７が示されている。伸縮環状紐１６と伸縮縦紐１７との挿通状態は後述する図１８に明示される。全体が頑丈に組み立てられていることが分かる。
【００６１】
図１７は、本発明の図１６に示す開口部用枠体１０において、２本の横管１３と１本の縦管１４を三方継手１５で連結した角部拡大図である。
三方継手１５は３個の締付蓋１５ｃで２本の横管１３、１３と１本の縦管１４に対し連結されていることが分かる。締付蓋１５ｃによる螺合で自然に緩んで分解することは無く、開口部用枠体１０と装置としての安定性が保証される。
【００６２】
図１８は、本発明の図１６に示す開口部用枠体１０において、２本の横管１３に挿通された伸縮環状紐１６と１本の縦管１４に挿通された伸縮縦紐１７との連結状態を示す伸縮紐連結図である。
縦管１４の上端には伸縮縦紐１７の伸縮輪１７ａが配置され、横管１３、１３を挿通する伸縮環状紐１６は前記伸縮輪１７ａを挿通していることが分かる。開口部用枠体１０の８ケ所のコーナーで、伸縮環状紐１６と伸縮輪１７ａとの伸縮状の係合が行われるから、仮に三方継手１５による継合が解除されても全部品が分離不能で且つ略自由状態にあることが理解できる。
【００６３】
図１９は、本発明の図１６に示す開口部用枠体１０を組み立てる組立手順図である。
（１９Ａ）の第１状態図では、８本の横管と４本の縦管からなるパイプ群１８と１個の三方継手が折り畳んで配置され、３本管の端部が第１角１０Ａ〜第４角１０Ｄと配置されている。（１９Ｂ）の第２状態図では、第２角１０Ｂと第３角１０Ｃが前方に展開された状態が示されている。
（１９Ｃ）の第３状態図では、第２角１０Ｂと第３角１０Ｃを左右に開き、第４角１０Ｄを第２角１０Ｂと対称位置に移動させると、全体が左右対称形に再配置された状態が示されている。（１９Ｄ）の第４状態図では、第２角１０Ｂと第４角１０Ｄを上方に吊り上げて、略直方体形状の立体化した状態が示されている。この立体形を横転させれば、図１６の立体が形成されることが明白である。
（１９Ａ）の状態は倉庫から現場への運搬状態を示し、極めてコンパクトに纏められるから運搬が容易であることが分かる。また、現場に到着すると、各部品が分離しても離散することが無く、（１９Ａ）の状態から（１９Ｄ）の状態へと極めて容易に且つ迅速に前記開口部用枠体１０を組み立てることができる。
【００６４】
本発明は、上記実施形態に限定されるものではなく、本発明の技術的思想を逸脱しない範囲における種々変形例、設計変更などをその技術的範囲内に包含するものであることは云うまでもない。
【産業上の利用可能性】
【００６５】
以上詳述したように、本発明に係る床下作業で使用される床上室内防汚装置は、床下調査や害虫駆除や清掃作業や配線作業や各種床下工事などの床下作業を実施する際に、床面の開口部から出てくる粉塵などの汚れを遮断し、また作業者がその開口部から床上室内に出るときに誘導される粉塵などの汚れを遮断して、床上室内を常に清浄に保持する床上室内防汚装置を提供することができる。
また、開口部の上方を囲むように包囲フィルムで包被された開口部用防汚装置を配置して、耐久性を有し塵埃などを完全に遮断できる開口部用防汚装置を提供する。更に、開口部用防汚装置に室内防汚用歩行路体を連設して床上室内の全領域を清浄に保持する床上室内防汚装置を提供できる。また更に、掃出し窓用シートを建物の掃出し窓に合わせて張設して、床上室内の防汚機能を一層高度化する床上室内防汚装置を提供するものでる。
【符号の説明】
【００６６】
１          床上室内防汚装置
２          開口部用防汚装置
２Ａ        直方体状開口部用防汚装置
２Ｂ        ループ状開口部用防汚装置
２ｃ        連結用孔
３          作業員
４          開口部
５          床面
６          開口部周囲床面
１０        開口部用枠体
１０Ａ      第１角
１０Ｂ      第２角
１０Ｃ      第３角
１０Ｄ      第４角
１１        矩形枠
１１ａ      矩形枠孔
１２        接続棒
１２ａ      接続棒突起
１３        横管
１４        縦管
１５        三方継手
１５ａ      継手孔部
１５ｂ      ねじ部
１５ｃ      締付蓋
１６        伸縮環状紐
１７        伸縮縦紐
１７ａ      伸縮輪
１８        パイプ群
１９Ａ      上段矩形体
１９Ｂ      下段矩形体
２０        包囲フィルム
２１        下端開口
２２        側面フィルム
２３        上面フィルム
２４        開放用切線
２５        開放フィルム片
２６        出入口
２７        正面フィルム
３０        開口部周囲シート
３１        内端片
３５        保護部材
３６        床面材
３７        側面材
４０        室内防汚用歩行路体
４１        床面シート
４１ａ      床面シート端部
４１ｂ      床面シート端部垂下部
４２        出入口
４３        伸縮歩行路体
４３ａ      入口開口
４３ｂ      出口開口
４４        直立ループ枠体
４４ａ      ループ部
４４ｂ      直立ループ枠体孔
４５        連結棒
４５ａ      連結棒突起
４６        床面フィルム
４７        周面フィルム
４８        磁石
５０        導管
５０ａ      差込端部
５０ｂ      受入端部
５０ｃ      ロック用ボタン
５０ｄ      ロック用孔
５１        長尺部材
６０        建物外壁面
６１        掃出し窓
６２        引き戸
６３        窓開口部
６５        掃出し窓用シート
６６        シート開口部
６７        クリップ
６６        シート開口部
Ａ          台所装置
【図１】
2020084727.tif 000003
【図２】
2020084727.tif 000004
【図３】
2020084727.tif 000005
【図４】
2020084727.tif 000006
【図５】
2020084727.tif 000007
【図６】
2020084727.tif 000008
【図７】
2020084727.tif 000009
【図８】
2020084727.tif 000010
【図９】
2020084727.tif 000011
【図１０】
2020084727.tif 000012
【図１１】
2020084727.tif 000013
【図１２】
2020084727.tif 000014
【図１３】
2020084727.tif 000015
【図１４】
2020084727.tif 000016
【図１５】
2020084727.tif 000017
【図１６】
2020084727.tif 000018
【図１７】
2020084727.tif 000019
【図１８】
2020084727.tif 000020
【図１９】
2020084727.tif 000021